(57)【特許請求の範囲】
【請求項１】
玄関子機（１）から来訪者により呼び出された親機（２）にて呼び出しを検出し、前記玄関子機のカメラ（１２）にて撮像された前記来訪者の映像を前記親機の表示部（４４）にて確認し、前記親機の応答により前記親機の通話部（４５）と前記玄関子機のマイク（１３）およびスピーカ（１４）との間で通話を行なうとともに、赤外照明灯（１７）により前記来訪者を照射して前記カメラにて撮像可能とするインターホン装置であって、
前記玄関子機に、制御部（２１）の制御により前記赤外照明灯に流す電流を変化させて前記赤外照明灯の照射距離を変えるための電流変化部（１８）と、前記赤外照明灯から照射された赤外線が前記来訪者により反射されて入射し、オン状態となることにより前記制御部にて前記来訪者の位置を検出させるための赤外受光部（１９）と、検出された前記来訪者の位置と前記スピーカとの間の距離に応じて前記制御部により音量を変化させて前記スピーカへ最適な音量を送出するための音量変化部（２０）とを備えたことを特徴とするインターホン装置。
【請求項２】
前記電流変化部は、前記赤外照明灯に流す電流を変化させて前記赤外照明灯の照射距離を変えるために直列接続された複数組の抵抗（Ｒ1a、Ｒ1b、Ｒ1c）およびトランジスタ（Ｑ1a、Ｑ1b、Ｑ1c）を有し、
前記音量変化部は、前記スピーカへの前記音量を変化させるための抵抗（Ｒ2a、Ｒ2b、Ｒ2c）および前記音量を切り替えるための音量切替回路（３０）を有することを特徴とする請求項１記載のインターホン装置。
【請求項３】
玄関子機（５１）から来訪者により呼び出された親機（５２）が呼び出しを検出し、前記玄関子機のカメラ（１２）にて撮像された前記来訪者の映像を前記親機の表示部（４４）にて確認し、前記親機の応答により前記親機の通話部（４５）と前記玄関子機のマイク（１３）およびスピーカ（１４）との間で通話を行なうとともに、赤外照明灯（２３）により前記来訪者を照射して前記カメラにて撮像可能とするインターホン装置であって、
前記玄関子機に、前記赤外照明灯に一定の電流値を流し、前記赤外照明灯から照射された赤外線が前記来訪者により反射されて入射し赤外受光信号を出力するための赤外受光部（２４）と、前記赤外受光信号のレベルにより前記来訪者の位置を検出するための位置検出部（２５）と、検出された前記来訪者の位置と前記スピーカとの間の距離に応じて制御部（２６）により音量を変化させて前記スピーカへ最適な音量を送出するための音量変化部（２０）とを備えたことを特徴とするインターホン装置。
【請求項４】
前記位置検出部は、前記赤外受光信号を所定の閾値と比較して前記制御部により前記来訪者の位置を検出するためのコンパレータ（ＯＰ1、ＯＰ2）を有し、
前記音量変化部は、前記スピーカへの前記音量を変化させるための抵抗（Ｒ2a、Ｒ2b、Ｒ2c）および前記音量を切り替えるための音量切替回路（３０）を有することを特徴とする請求項３記載のインターホン装置。
【請求項５】
前記位置検出部は、前記赤外受光信号をＡ／Ｄ変換し前記制御部にて前記来訪者の位置を検出させるためのＡ／Ｄ変換器（５０）を有することを特徴とする請求項３記載のインターホン装置。
【発明の詳細な説明】
【０００１】
【発明の属する技術分野】
本発明はインターホン装置に係り、特に、住戸内の居住者からの受話音声を、玄関先に居る来訪者にとって聴き易い最適な音量で鳴動させることができるインターホン装置に関する。
【０００２】
【従来の技術】
従来から、この種のインターホン装置として、図４の回路ブロック図に示す構成のインターホン装置が提案されている。
【０００３】
同図に示す玄関子機１０１は、通常、玄関先に設置されている。この玄関子機１０１には、子機電源部１１０、呼出部１１１、カメラ１１２、マイク１１３、スピーカ１１４、マイクアンプ１１５、スピーカアンプ１１６、赤外照明灯１１７、インターフェース部（以下、子機Ｉ／Ｆという。）１１８、抵抗Ｒ101が備えられている。
【０００４】
同図に示す親機１０２は、通常、住戸内に設置され、伝送線路Ｌ101を介して玄関子機１０１に接続されている。この親機１０２には、親機電源部１２０、呼出検出部１２１、子機電源供給部１２２、呼出報知部１２３、表示部１２４、通話部１２５、インターフェース部（以下、親機Ｉ／Ｆという。）１２６が備えられている。
【０００５】
このように構成された従来例のインターホン装置において、図４の回路ブロック図に示す親機１０２の構成各部には、親機電源部１２０からの直流電源の供給に基づき、動作電源として電流が流れている。
【０００６】
ここで、玄関先に居る来訪者が、住戸内の居住者を呼び出すために玄関子機１０１の呼出部１１１を操作すると、呼出部１１１からの呼出信号が子機Ｉ／Ｆ１１８、伝送線路Ｌ101、親機１０２の親機Ｉ／Ｆ１２６を介して呼出検出部１２１に伝送される。
【０００７】
玄関子機１０１からの呼出信号を検出した親機１０２の呼出検出部１２１は、呼出報知部１２３を制御して呼出音を鳴動させるとともに、子機電源供給部１２２、表示部１２４をそれぞれオン状態に制御する。また、子機電源供給部１２２は、親機電源部１２０からの直流電源を、親機Ｉ／Ｆ１２６、伝送線路Ｌ101、玄関子機１０１の子機Ｉ／Ｆ１１８を介して子機電源部１１０に供給する。
【０００８】
玄関子機１０１の子機電源部１１０は、親機１０２からの直流電源の供給に基づき、カメラ１１２、マイクアンプ１１５、スピーカアンプ１１６にそれぞれ電流を流して動作電源とするとともに、抵抗Ｒ101を介した電流を赤外照明灯１１７に流し赤外照明灯１１７を一定の明度で点灯させる。また、カメラ１１２は、赤外照明灯１１７の点灯により一定の明度が確保された来訪者の映像を撮像することができる。この映像は、映像信号に信号処理された後、子機Ｉ／Ｆ１１８、伝送線路Ｌ101、親機１０２の親機Ｉ／Ｆ１２６を介して表示部１２４に伝送されることにより、視認性の高い来訪者の映像を表示部１２４にて表示させることができる。
【０００９】
親機１０２の表示部１２４に表示された映像に基づき、来訪者が誰なのかを確認した居住者が、通話部１２５を使用して呼出応答すると、この通話部１２５と、親機Ｉ／Ｆ１２６、伝送線路Ｌ101、玄関子機１０１の子機Ｉ／Ｆ１１８、マイクアンプ１１５およびスピーカアンプ１１６を介して来訪者が使用するマイク１１３およびスピーカ１１４との間の通話ラインが形成され、形成された通話ラインを介して音声信号を送受信させることにより通話（双方向通話）が成立する（詳述せず）。
【００１０】
【発明が解決しようとする課題】
しかしながら、従来例のインターホン装置において、住戸内の居住者により親機１０２の通話部１２５に入力された送話音声をなす音声信号は、親機Ｉ／Ｆ１２６、伝送線路Ｌ101、玄関子機１０１の子機Ｉ／Ｆ１１８、スピーカアンプ１１６を介してスピーカ１１４から受話音声として鳴動されるが、この受話音声の音量は、玄関先に居る来訪者の位置とスピーカ１１４との間の距離に関係なく一定であり、この距離が遠い場合には、来訪者にとって受話音声の音量が小さすぎる、一方、上述の距離が近い場合には、来訪者にとって受話音声が大きすぎ、何れの場合においても受話音声を聴き難く良好な通話（双方向通話）を成立させることができない難点があった。
【００１１】
本発明は、上述の難点を解消するためになされたもので、玄関先に居る来訪者の位置と玄関子機のスピーカとの間の距離に応じて、スピーカにて鳴動される受話音声の音量を調節することができるインターホン装置を提供することを目的としている。
【００１２】
【課題を解決するための手段】
上述の目的を達成するため、本発明によるインターホン装置は、玄関子機から来訪者により呼び出された親機にて呼び出しを検出し、玄関子機のカメラにて撮像された来訪者を親機の表示部にて確認し、親機の応答により親機の通話部と玄関子機のマイク、スピーカとの間で通話を行なうとともに、赤外照明灯により来訪者を照射してカメラにて撮像可能とするインターホン装置であって、玄関子機に、制御部の制御により赤外照明灯に流す電流を変化させて赤外照明灯の照射距離を変えるための電流変化部と、赤外照明灯から照射された赤外線が来訪者により反射されて入射し、オン状態となることにより制御部にて来訪者の位置を検出させるための赤外受光部と、検出された来訪者の位置とスピーカとの間の距離に応じて制御部により音量を変化させてスピーカへ最適な音量を送出するための音量変化部とを備えたことを特徴としている。
【００１３】
また、本発明によるインターホン装置を構成する玄関子機の電流変化部は、赤外照明灯に流す電流を変化させて赤外照明灯の照射距離を変えるために直列接続された複数組の抵抗およびトランジスタを有し、音量変化部は、スピーカへの音量を変化させるための抵抗および音量を切り替えるための音量切替回路を有することを特徴としている。
【００１４】
このようなインターホン装置によれば、親機を呼び出して通話を行なうことができる玄関子機において、制御部は、電流変化部を制御して子機電源部から赤外照明灯に流す電流を変化させ、赤外照明灯の照射距離を変えることができる。また、玄関子機の赤外受光部は、赤外照明灯から照射され来訪者を介して反射された赤外線が入射することによりオン状態となり、制御部は、赤外受光部がオン状態となるタイミングと電流変化部の制御タイミングに基づき、来訪者の位置とスピーカとの間の距離を検出し、この距離に応じて音量変化部を制御することにより、スピーカにて鳴動される受話音声の音量は、来訪者にとって聴き易い最適な音量となる。
【００１５】
また、本発明によるインターホン装置は、玄関子機から来訪者により呼び出された親機が呼び出しを検出し、玄関子機のカメラにて撮像された来訪者を親機の表示部にて確認し、親機の応答により親機の通話部と玄関子機のマイク、スピーカとの間で通話を行なうとともに、赤外照明灯により来訪者を照射してカメラにて撮像可能とするインターホン装置であって、玄関子機に、赤外照明灯に一定の電流値を流し、赤外照明灯から照射された赤外線が来訪者により反射されて入射し赤外受光信号を出力するための赤外受光部と、赤外受光信号のレベルにより来訪者の位置を検出するための位置検出部と、検出された来訪者の位置とスピーカとの間の距離に応じて制御部により音量を変化させてスピーカへ最適な音量を送出するための音量変化部とを備えたことを特徴としている。
【００１６】
また、本発明によるインターホン装置を構成する玄関子機の位置検出部は、赤外受光信号を所定の閾値と比較して制御部により来訪者の位置を検出するためのコンパレータを有し、音量変化部は、スピーカへの音量を変化させるための抵抗および音量を切り替えるための音量切替回路を有することを特徴としている。
【００１７】
また、本発明によるインターホン装置を構成する玄関子機の位置検出部は、赤外受光信号をＡ／Ｄ変換し制御部にて来訪者の位置を検出させるためのＡ／Ｄ変換器を有することを特徴としている。
【００１８】
このようなインターホン装置によれば、親機を呼び出して通話を行なうことができる玄関子機において、子機電源部から赤外照明灯に流す電流値は一定であり赤外照明灯の照射距離も一定とされる。また、玄関子機の赤外受光部は、赤外照明灯から照射され来訪者を介して反射された赤外線が入射することによりオン状態となり、位置検出部は、オン状態の赤外受光部からの赤外受光信号のレベルと所定の閾値レベルとを比較し、その比較結果に基づき、来訪者の位置を検出することができる。さらに、制御部は、位置検出部にて検出された来訪者の位置とスピーカとの間の距離に応じて音量変化部を制御することにより、スピーカにて鳴動される受話音声の音量は、来訪者にとって聴き易い最適な音量となる。
【００１９】
【発明の実施の形態】
以下、本発明によるインターホン装置を適用した好ましい形態の実施例について、図面を参照して説明する。
【００２０】
図１は、本発明の第１の実施例によるインターホン装置の構成を示す回路ブロック図であり、通常、玄関先に設置される玄関子機１と、伝送線路Ｌ1を介して玄関子機１に接続され、通常、住戸内に設置される親機２とで構成されている。
【００２１】
同図に示す玄関子機１には、後述する親機２からの直流電源の供給に基づき、当該玄関子機の構成各部に動作電源として電流を流すための子機電源部１０と、玄関先に居る来訪者が、住戸内の居住者を呼び出すための呼出操作を行なう呼出部１１と、呼出操作を行なった来訪者の映像を撮像するためのカメラ１２と、来訪者が呼出相手先の居住者との間で通話（双方向通話）を成立させるために使用するマイク１３およびスピーカ１４と、マイク１３に入力され、信号処理された音声信号の音圧レベルを増幅させるためのマイクアンプ１５と、親機２から送出された音声信号の伝送線路Ｌ1の線路長の長さに比例して減衰する音圧レベルの当該減衰分を増幅させるためのスピーカアンプ１６と、アノードが後述する電流変化部１８を介して子機電源部１０に、カソードが基準電位点にそれぞれ接続された発光ダイオードからなり、子機電源部１０から電流変化部１８を介した電流が流れることに基づき、来訪者の明度を確保するために点灯される赤外照明灯１７と、子機電源部１０から赤外照明灯１７に流れる電流を変化させて赤外照明灯１７の点灯に起因した赤外線の照射距離を変えるための電流変化部１８と、コレクタが子機電源部１０に、エミッタが後述する制御部２１にそれぞれ接続されたトランジスタ（ＮＰＮ形トランジスタ）からなり、赤外照明灯１７から照射され来訪者を介して反射された赤外線を入射することにより、制御部２１にて来訪者の位置を検出させるための赤外受光部１９と、制御部２１にて検出される来訪者の位置とスピーカ１４との間の距離に応じて、スピーカアンプ１６からの音声信号の音圧レベルを変化させるための音量変化部２０と、電流変化部１８、音量変化部２０をそれぞれ制御するための制御部２１と、伝送線路Ｌ1と子機電源部１０、呼出部１１、カメラ１２、マイクアンプ１５、スピーカアンプ１６との間の給電ライン、信号伝送ラインをそれぞれ形成するためのインターフェース部（以下、子機Ｉ／Ｆという。）２２とが備えられている。
【００２３】
また、玄関子機１の電流変化部１８は、子機電源部１０から赤外照明灯１７に流す電流を変化させて赤外照明灯１７の照射距離を変えるための複数の抵抗、ここでは、抵抗値がｒ1a＜ｒ1b＜ｒ1cの関係を有する抵抗Ｒ1a、Ｒ1b、Ｒ1cと、ベースが制御部２１に、エミッタが子機電源部１０に、コレクタが各抵抗Ｒ1a、Ｒ1b、Ｒ1cを介して赤外照明灯１７にそれぞれ接続された複数のトランジスタ（ＰＮＰトランジスタ）Ｑ1a、Ｑ1b、Ｑ1cとを有しており、以下、子機電源部１０から電流変化部１８のトランジスタＱ1a、抵抗Ｒ1aを介して赤外照明灯１７への接続ラインを第１の給電ラインＬ2aとし、トランジスタＱ1b、抵抗Ｒ1bを介して赤外照明灯１７への接続ラインを第２の給電ラインＬ2bとし、トランジスタＱ1c、抵抗Ｒ1cを介して赤外照明灯１７への接続ラインを第３の給電ラインＬ2cとする。
【００２４】
さらに、玄関子機１の音量変化部２０は、スピーカ１４にて鳴動される受話音声の音量を変化させるために設けられた複数の抵抗、ここでは、抵抗値がｒ2a＜ｒ2b＜ｒ2cの関係を有する抵抗Ｒ2a、Ｒ2b、Ｒ2cと、制御部２１により制御され、スピーカアンプ１６から各抵抗Ｒ2a、Ｒ2b、Ｒ2cを介してスピーカ１４への信号伝送ライン、ここでは、第１、第２、第３の音声ラインＬ3a、Ｌ3b、Ｌ3cをそれぞれ切り替えるための音量切替回路３０とを有する。
【００２５】
同図に示す親機２には、商用電源の供給に基づき、当該親機の構成各部に動作電源として電流を流すための親機電源部４０と、玄関先に居る来訪者からの呼び出し、すなわち、呼出部１１が操作された玄関子機１からの呼び出しを検出するための呼出検出部４１と、呼出検出部４１により制御され、玄関子機１に動作電源を供給するための子機電源供給部４２と、呼出検出部４１により制御され、玄関子機１からの呼び出しを示す呼出音を鳴動するための呼出報知部４３と、呼出検出部４１により制御され、玄関子機１のカメラ１２にて撮像された来訪者の映像を表示するための表示部４４と、居住者が呼出元の来訪者との間で通話（双方向通話）を成立させるために使用する通話部４５と、伝送線路Ｌ1と呼出検出部４１、子機電源供給部４２、表示部４４、通話部４５との間の給電ライン、信号伝送ラインをそれぞれ形成するためのインターフェース部（以下、親機Ｉ／Ｆという。）４６とが備えられている。
【００２６】
このように構成された本発明の第１の実施例によるインターホン装置において、以下、その動作を具体的に説明する。
【００２７】
図１の回路ブロック図に示す親機２の構成各部には、親機電源部４０からの直流電源の供給に基づき、動作電源として電流が流れている。
【００２８】
ここで、玄関先に居る来訪者が、住戸内の居住者を呼び出すために玄関子機１の呼出部１１を操作すると、呼出部１１からの呼出信号が子機Ｉ／Ｆ２２、伝送線路Ｌ1、親機２の親機Ｉ／Ｆ４６を介して呼出検出部４１に伝送される。
【００２９】
玄関子機１からの呼出信号を検出した親機２の呼出検出部４１は、呼出報知部４３を制御して呼出音を鳴動させるとともに、子機電源供給部４２、表示部４４をそれぞれオン状態に制御する。また、子機電源供給部４２は、親機電源部４０からの直流電源を、親機Ｉ／Ｆ４６、伝送線路Ｌ1、玄関子機１の子機Ｉ／Ｆ２２を介して子機電源部１０に供給する。
【００３０】
玄関子機１の子機電源部１０は、親機２からの直流電源の供給に基づき、カメラ１２、マイクアンプ１５、スピーカアンプ１６、電流変化部１８、赤外受光部１９、音量変化部２０、制御部２１にそれぞれ電流Ｉを流して動作電源とする。また、制御部２１は、子機電源部１０からの電流が流れ始めた時を始期として後述する通話（双方向通話）が終了するまでの間、電流変化部１８のトランジスタＱ1a、Ｑ1b、Ｑ1cを所定の順序、ここでは、トランジスタＱ1a→Ｑ1b→Ｑ1cを１サイクルとして繰り返しオン状態に制御することにより、子機電源部１０からの電流Ｉは、第１の給電ラインＬ2a上の抵抗Ｒ1a、第２の給電ラインＬ2b上の抵抗Ｒ1b、第３の給電ラインＬ2c上の抵抗Ｒ1c、・・・を順次介して当該抵抗の抵抗値の大きさｒ1a＜ｒ1b＜ｒ1cの相違に起因した異なる電流値の電流Ｉa、Ｉb、Ｉc（Ｉ＞Ｉa＞Ｉb＞Ｉc）で赤外照明灯１７に流れ、この電流Ｉa、Ｉb、Ｉcの大きさの相違に起因して赤外線の照射距離を変えることができ、以下、電流Ｉaが流れている場合の点灯を第１のモード、電流Ｉbが流れている場合の点灯を第２のモード、電流Ｉcが流れている場合の点灯を第３のモードとする。
【００３１】
なお、玄関子機１の赤外照明灯１７は、第１、第２、第３の各モードにおいて、来訪者を照射するに充分な明度で点灯されており、カメラ１２にて撮像された来訪者の映像は、映像信号に信号処理された後、子機Ｉ／Ｆ２２、伝送線路Ｌ1、親機２の親機Ｉ／Ｆ４６を介して表示部４４に伝送されることにより、視認性の高い来訪者の映像を表示部４４にて表示させることができる。
【００３２】
親機２の表示部４４に表示された映像に基づき、玄関先に居る来訪者が誰なのかを確認した住戸内の居住者が、通話部４５を使用して呼出応答すると、この通話部４５から親機Ｉ／Ｆ４６、伝送線路Ｌ1、玄関子機１の子機Ｉ／Ｆ２２、スピーカアンプ１６、音量変化部２０を介して来訪者が使用するスピーカ１４までの通話ラインと、来訪者が使用するマイク１３からマイクアンプ１５、子機Ｉ／Ｆ２２、伝送線路Ｌ1、親機２の親機Ｉ／Ｆ４６を介して居住者が使用する通話部４５までの通話ラインがそれぞれ形成される。
【００３３】
以下、玄関先に居る来訪者と住戸内の居住者との間で成立される通話（双方向通話）について、具体的に説明する。
【００３４】
先ず、玄関子機１の制御部２１の制御により、赤外照明灯１７が第１のモードで点灯されている場合、すなわち、赤外照明灯１７から来訪者への赤外線の照射距離が、後述する第２、第３の各モード時における照射距離と比較して長い場合について説明する。
【００３５】
第１のモードで点灯されている玄関子機１の赤外照明灯１７からの赤外線が、来訪者を介して反射した後、赤外受光部１９に入射されると、赤外受光部１９はオン状態となる。これを検出した制御部２１は、スピーカアンプ１６から音量変化部２０を介してスピーカ１４への通話ラインを、抵抗Ｒ2aを介した第１の音声ラインＬ3aとなるように音量切替回路３０を制御する。
【００３６】
ここで、住戸内の居住者が親機２の通話部４５に入力した送話音声は、音声信号に信号処理された後、親機Ｉ／Ｆ４６、伝送線路Ｌ1、玄関子機１の子機Ｉ／Ｆ２２、スピーカアンプ１６、音量変化部２０の音量切替回路３０を介して第１の音声ラインＬ3a上の抵抗Ｒ2aに伝送され、この抵抗Ｒ2aを介して音圧レベルが減衰された音声信号は、スピーカ１４からの距離が遠い位置に居る来訪者にとって聞き易い最適な音量の受話音声、ここでは、音量ＶOLaの受話音声としてスピーカ１４から鳴動される。
【００３７】
次に、玄関子機１の制御部２１の制御により、赤外照明灯１７が第２のモードで点灯されている場合、すなわち、赤外照明灯１７から来訪者への赤外線の照射距離が、上述の第１のモード時よりも短い、一方、後述する第３のモード時よりも長い場合について説明する。
【００３８】
第２のモードで点灯されている玄関子機１の赤外照明灯１７からの赤外線が、来訪者を介して反射した後、赤外受光部１９に入射されると、赤外受光部１９はオン状態となる。これを検出した制御部２１は、スピーカアンプ１６から音量変化部２０を介してスピーカ１４への通話ラインを、抵抗Ｒ2bを介した第２の音声ラインＬ3bとなるように音量切替回路３０を制御する。
【００３９】
ここで、住戸内の居住者が親機２の通話部４５に入力した送話音声は、音声信号に信号処理された後、上述の第１のモード時における音声信号と同様な経路を介して玄関子機１をなす音量変化部２０の音量切替回路３０に伝送された後、第２の音声ラインＬ3b上の抵抗Ｒ2bに送出され、この抵抗Ｒ2bを介して音圧レベルが減衰された音声信号は、スピーカ１４からの距離が上述の第１のモード時よりも近い、一方、後述する第３のモード時よりも遠い位置に居る来訪者にとって聞き易い最適な音量の受話音声、ここでは、音量ＶOLb（＜ＶOLa）の受話音声としてスピーカ１４から鳴動される。
【００４０】
次に、玄関子機１の制御部２１の制御により、赤外照明灯１７が第３のモードで点灯されている場合、すなわち、赤外照明灯１７から来訪者への赤外線の照射距離が、上述の第１、第２の各モード時よりも短い場合について説明する。
【００４１】
第３のモードで点灯されている玄関子機１の赤外照明灯１７からの赤外線が、来訪者を介して反射した後、赤外受光部１９に入射されると、赤外受光部１９はオン状態となる。これを検出した制御部２１は、スピーカアンプ１６から音量変化部２０を介してスピーカ１４への通話ラインを、抵抗Ｒ2cを介した第３の音声ラインＬ3cとなるように音量切替回路３０を制御する。
【００４２】
ここで、住戸内の居住者が親機２の通話部４５に入力した送話音声は、音声信号に信号処理された後、上述の第１、第２の各モード時における音声信号と同様な経路を介して玄関子機１をなす音量変化部２０の音量切替回路３０に伝送された後、第３の音声ラインＬ3c上の抵抗Ｒ2cに送出され、この抵抗Ｒ2cを介して音圧レベルが減衰された音声信号は、スピーカ１４からの距離が上述の第１、第２の各モード時よりも近い位置に居る来訪者にとって聞き易い最適な音量の受話音声、ここでは、音量ＶOLc（＜ＶOLb＜ＶOLa）の受話音声としてスピーカ１４から鳴動される。
【００４３】
一方、玄関子機１の制御部２１の制御により、赤外照明灯１７が第１、第２、第３の各モードで点灯されている場合において、玄関先に居る来訪者がマイク１３に入力した送話音声は、音声信号に信号処理された後、マイクアンプ１５、子機Ｉ／Ｆ２２、伝送線路Ｌ1、親機２の親機Ｉ／Ｆ４６を介して通話部４５に伝送される。また、通話部４５は、玄関子機１からの音声信号を信号処理した後、受話音声として鳴動する。
【００４４】
なお、本発明の第１の実施例によるインターホン装置において、玄関子機１の赤外照明灯１７に流す電流を変化させて赤外照明灯１７の照射距離を変えるために直列接続される複数組の抵抗およびトランジスタは、３組の抵抗Ｒ1a、Ｒ1b、Ｒ1cおよびトランジスタＱ1a、Ｑ1b、Ｑ1cとしたが、この数は限定されず、例えば、４組以上の複数の抵抗およびトランジスタで構成すると、赤外照明灯１７の照射距離を、より細かく変えることができる。
【００４５】
次に、本発明の第１の実施例によるインターホン装置と同様な効果、すなわち、来訪者の位置と玄関子機のスピーカとの距離に応じて、スピーカにて鳴動される受話音声の音量を調節することができるインターホン装置を、以下、本発明の第２の実施例によるインターホン装置として、図２の回路ブロック図を参照して説明する。
【００４６】
同図に示すインターホン装置は、通常、玄関先に設置される玄関子機５１と、伝送線路Ｌ51を介して玄関子機５１に接続され、通常、住戸内に設置される親機５２とで構成されている。
【００４７】
なお、玄関子機５１および親機５２において、本発明の第１の実施例によるインターホン装置の玄関子機１および親機２と同様な構成部については、同一の符号を付して具体的な構成の説明は省略する。
【００４８】
同図に示す玄関子機５１は、子機電源部１０、呼出部１１、カメラ１２、マイク１３、スピーカ１４、マイクアンプ１５、スピーカアンプ１６、音量変化部２０、子機Ｉ／Ｆ２２と、アノードが抵抗Ｒ51を介して子機電源部１０に、カソードが基準電位点にそれぞれ接続され、子機電源部１０から抵抗Ｒ51を介した一定値の電流が流れることに基づき、玄関先に居る来訪者の明度を確保するために点灯される赤外照明灯２３と、コレクタが子機電源部１０に、エミッタが抵抗Ｒ52を介して基準電位点にそれぞれ接続されたトランジスタ（ＮＰＮ形トランジスタ）からなり、赤外照明灯２３から照射され来訪者を介して反射された赤外線を入射することにより赤外受光信号を後述する位置検出部２５に出力するための赤外受光部２４と、赤外受光部２４からの赤外受光信号のレベル（以下、電圧レベルという。）の相違に基づき、来訪者の位置を検出するための位置検出部２５と、音量変化部２０を制御するために設けられ、位置検出部２５からの出力信号に基づき、音量変化部２０を制御するための制御部２６とが備えられている。
【００５０】
また、玄関子機５１の位置検出部２５は、赤外受光部２４からの赤外受光信号が（＋）端子にそれぞれ入力され、この赤外受光信号の電圧レベルと（−）端子に予め入力されている基準電圧の電圧レベルとを比較し、来訪者の位置を検出するためのコンパレータ、ここでは、第１、第２のコンパレータＯＰ1、ＯＰ2を有する。
【００５１】
なお、玄関子機５１の位置検出部２５において、第１、第２の各コンパレータＯＰ1、ＯＰ2の（−）端子に入力される基準電圧の電圧レベルを、ここでは、電圧レベルＶ1、Ｖ2とし、この電圧レベルＶ1、Ｖ2はＶ1＞Ｖ2の関係を有する。
【００５２】
同図に示す親機５２は、親機電源部４０、呼出検出部４１、子機電源供給部４２、呼出報知部４３、表示部４４、通話部４５、親機Ｉ／Ｆ４６が備えられている。
【００５３】
このように構成された本発明の第２の実施例によるインターホン装置において、以下、その動作を具体的に説明する。
【００５４】
なお、図２の回路ブロック図において、玄関先に居る来訪者が玄関子機５１の呼出部１１を操作した後における親機５２での呼出報知および玄関子機５１への動作電源の供給に関する動作は、本発明の第１の実施例に該当する動作と同様であることから、その説明は省略する。
【００５５】
図２の回路ブロック図に示す玄関子機５１の子機電源部１０は、親機５２からの直流電源の供給に基づき、カメラ１２、マイクアンプ１５、スピーカアンプ１６、音量変化部２０、赤外受光部２４、位置検出部２５、制御部２６にそれぞれ電流Ｉを流して動作電源とするとともに、抵抗Ｒ51を介した電流Ｉdを赤外照明灯２３に流し赤外照明灯２３を一定の明度で点灯させることにより、来訪者への赤外線の照射距離も一定となり、赤外照明灯２３からの赤外線は、来訪者を介して反射した後、赤外受光部２４に入射され、赤外受光部２４は、入力された赤外線量により電圧レベルが異なる赤外受光信号を出力し、この赤外受光信号は、位置検出部２５の第１、第２の各コンパレータＯＰ1、ＯＰ2の（＋）端子にそれぞれ入力される。
【００５６】
また、玄関子機５１の赤外照明灯２３は、来訪者を照射するに充分な明度で点灯されており、カメラ１２にて撮像された来訪者の映像は、映像信号に信号処理された後、子機Ｉ／Ｆ２２、伝送線路Ｌ51、親機５２の親機Ｉ／Ｆ４６を介して表示部４４に伝送されることにより、視認性の高い来訪者の映像を表示部４４にて表示させることができる。
【００５７】
親機５２の表示部４４に表示された映像に基づき、玄関先に居る来訪者が誰なのかを確認した住戸内の居住者が、通話部４５を使用して呼出応答すると、この通話部４５から親機Ｉ／Ｆ４６、伝送線路Ｌ51、玄関子機５１の子機Ｉ／Ｆ２２、スピーカアンプ１６、音量変化部２０を介して来訪者が使用するスピーカ１４までの通話ラインと、来訪者が使用するマイク１３からマイクアンプ１５、子機Ｉ／Ｆ２２、伝送線路Ｌ51、親機５２の親機Ｉ／Ｆ４６を介して居住者が使用する通話部４５までの通話ラインとがそれぞれ形成される。
【００５８】
以下、玄関先に居る来訪者と住戸内の居住者との間で成立される通話（双方向通話）について、具体的に説明する。
【００５９】
玄関子機５１の位置検出部２５において、第１のコンパレータＯＰ1は、（＋）端子に入力された赤外受光部２４からの赤外受光信号の電圧レベルＶと（−）端子に予め入力されている基準電圧の電圧レベルＶ1とを比較し、電圧レベルＶ＜Ｖ1の場合にはＬowレベル（以下、Ｌレベルという。）の信号を、電圧レベルＶ＞Ｖ1の場合にはＨighレベル（以下、Ｈレベルという。）の信号をそれぞれ制御部２６に出力する。また、第２のコンパレータＯＰ2は、（＋）端子に入力された赤外受光部２４からの赤外受光信号の電圧レベルＶと（−）端子に予め入力されている基準電圧の電圧レベルＶ2とを比較し、電圧レベルＶ＜Ｖ2の場合にはＬレベルの信号を、電圧レベルＶ＞Ｖ2の場合にはＨレベルの信号をそれぞれ制御部２６に出力する。
【００６０】
先ず、玄関子機５１の位置検出部２５において、第１のコンパレータＯＰ1にて比較される赤外受光部２４からの赤外受光信号の電圧レベルＶと第１の基準電圧の電圧レベルＶ1とが電圧レベルＶ＜Ｖ1の関係を有し、第２のコンパレータＯＰ2にて比較される赤外受光部２４からの赤外受光信号の電圧レベルＶと第２の基準電圧の電圧レベルＶ2とが電圧レベルＶ＜Ｖ2の関係を有している場合には、これらの比較結果を示すＬレベルの信号が第１、第２の各コンパレータＯＰ1、ＯＰ2から制御部２６にそれぞれ出力される。
【００６１】
また、玄関子機５１の制御部２６は、位置検出部２５の第１、第２の各コンパレータＯＰ1、ＯＰ2からのＬレベルの信号に基づき、来訪者の位置とスピーカ１４との間の距離が遠いこと、ここでは、第１の位置を検出し、スピーカアンプ１６から音量変化部２０を介してスピーカ１４への通話ラインを、抵抗Ｒ2aを介した第１の音声ラインＬ3aとなるように音量切替回路３０を制御する。
【００６２】
ここで、住戸内の居住者が親機５２の通話部４５に入力した送話音声は、音声信号に信号処理された後、親機Ｉ／Ｆ４６、伝送線路Ｌ51、玄関子機５１の子機Ｉ／Ｆ２２、スピーカアンプ１６、音量変化部２０の音量切替回路３０を介して第１の音声ラインＬ3a上の抵抗Ｒ2aに伝送され、この抵抗Ｒ2aを介して音圧レベルが減衰された音声信号は、スピーカ１４からの距離が遠い第１の位置に居る来訪者にとって聞き易い最適な音量の受話音声、ここでは、音量ＶOLaの受話音声としてスピーカ１４から鳴動される。
【００６３】
次に、玄関子機５１の位置検出部２５において、第１のコンパレータＯＰ1にて比較される赤外受光部２４からの赤外受光信号の電圧レベルＶと第１の基準電圧の電圧レベルＶ1とが電圧レベルＶ＜Ｖ1の関係を有し、第２のコンパレータＯＰ2にて比較される赤外受光部２４からの赤外受光信号の電圧レベルＶと第２の基準電圧の電圧レベルＶ2とが電圧レベルＶ＞Ｖ2の関係を有している場合には、これらの比較結果を示すＬレベルの信号が第１のコンパレータＯＰ1から、Ｈレベルの信号が第２のコンパレータＯＰ2から制御部２６にそれぞれ出力される。
【００６４】
また、玄関子機５１の制御部２６は、位置検出部２５の第１のコンパレータＯＰ1からのＬレベルの信号、第２のコンパレータＯＰ2からのＨレベルの信号に基づき、来訪者の位置とスピーカ１４との間の距離が、上述の第１の位置よりも近く、後述する第３の位置よりも遠いこと、ここでは、第２の位置を検出し、スピーカアンプ１６から音量変化部２０を介してスピーカ１４への通話ラインを、抵抗Ｒ2bを介した第２の音声ラインＬ3bとなるように音量切替回路３０を制御する。
【００６５】
ここで、住戸内の居住者が親機５２の通話部４５に入力した送話音声は、音声信号に信号処理された後、上述の第１の位置検出時における音声信号と同様な経路を介して玄関子機５１をなす音量変化部２０の音量切替回路３０に伝送された後、第２の音声ラインＬ3b上の抵抗Ｒ2bに送出され、この抵抗Ｒ2bを介して音圧レベルが減衰された音声信号は、スピーカ１４からの距離が上述の第１の位置よりも近い、一方、後述する第３の位置よりも遠い位置に居る来訪者にとって聞き易い最適な音量の受話音声、ここでは、音量ＶOLb（＜ＶOLa）の受話音声としてスピーカ１４から鳴動される。
【００６６】
次に、玄関子機５１の位置検出部２５において、第１のコンパレータＯＰ1にて比較される赤外受光部２４からの赤外受光信号の電圧レベルＶと第１の基準電圧の電圧レベルＶ1とが電圧レベルＶ＞Ｖ1の関係を有し、第２のコンパレータＯＰ2にて比較される赤外受光部２４からの赤外受光信号の電圧レベルＶと第２の基準電圧の電圧レベルＶ2とが電圧レベルＶ＞Ｖ2の関係を有している場合には、これらの比較結果を示すＨレベルの信号が第１、第２の各コンパレータＯＰ1、ＯＰ2から制御部２６にそれぞれ出力される。
【００６７】
また、玄関子機５１の制御部２６は、位置検出部２５の第１、第２の各コンパレータＯＰ1、ＯＰ2からのＨレベルの信号に基づき、来訪者の位置とスピーカ１４との間の距離が近いこと、ここでは、第３の位置を検出し、スピーカアンプ１６から音量変化部２０を介してスピーカ１４への通話ラインを、抵抗Ｒ2cを介した第３の音声ラインＬ3cとなるように音量切替回路３０を制御する。
【００６８】
ここで、住戸内の居住者が親機２の通話部４５に入力した送話音声は、音声信号に信号処理された後、上述の第１、第２の各位置検出時における音声信号と同様な経路を介して玄関子機５１をなす音量変化部２０の音量切替回路３０に伝送された後、第３の音声ラインＬ3c上の抵抗Ｒ2cに送出され、この抵抗Ｒ2cを介して音圧レベルが減衰された音声信号は、スピーカ１４からの距離が近い第３の位置に居る来訪者にとって聞き易い最適な音量の受話音声、ここでは、音量ＶOLc（＜ＶOLb＜ＶOLa）の受話音声としてスピーカ１４から鳴動される。
【００６９】
なお、本発明の第２の実施例によるインターホン装置において、玄関子機５１の制御部２６では、来訪者の位置を検出する位置検出部２５からの出力信号、すなわち、第１、第２の各コンパレータＯＰ1、ＯＰ2からのＬレベルの信号、またはＨレベルの信号に基づき、来訪者の位置とスピーカ１４との間の距離を検出する信号処理を行なっていたが、本発明の第３の実施例によるインターホン装置として、図３の回路ブロック図に示すように、上述の位置検出部２５を構成する第１、第２のコンパレータＯＰ1、ＯＰ2の代替として、当該位置検出部にＡ／Ｄ変換器５０を備えることにより、このＡ／Ｄ変換器５０によれば、赤外受光部２４からの赤外受光信号をデジタル信号処理、すなわち、アナログ／デジタル変換（以下、Ａ／Ｄ変換という。）し、制御部２６は、Ａ／Ｄ変換された信号の電圧レベルに基づき、来訪者の位置とスピーカ１４との間の距離を検出することができる。また、本発明の第３の実施例によるインターホン装置を構成する玄関子機５１の制御部２６は、検出された来訪者の位置とスピーカ１４との間の距離に応じて、スピーカアンプ１６から音量変化部２０を介してスピーカ１４への通話ラインを適宜、切り替えることができる（詳述せず）。さらに、本発明の第３の実施例によるインターホン装置において、玄関子機５１の位置検出部２５を構成するＡ／Ｄ変換器５０は、制御部２６に備えることもできる。
【００７０】
また、本発明の第１、第２、第３の各実施例によるインターホン装置において、玄関子機１、５１のスピーカ１４へ最適な音量を送出するために音量変化部２０に備えられる抵抗は、３個の抵抗Ｒ2a、Ｒ2b、Ｒ2cとしたが、この数は限定されず、例えば、４個以上の抵抗で構成すると、スピーカにて鳴動される受話音量の音量を、より細かい音量差で切り替えることができる。
【００７１】
【発明の効果】
以上の説明から明らかなように、本発明のインターホン装置によれば、玄関先に居る来訪者の位置と玄関子機のスピーカとの間の距離に応じて、スピーカにて鳴動される受話音声の音量を調節することにより、来訪者にとって聴き易い最適な音量で鳴動させることができ、良好な通話（双方向通話）が成立する。
【図面の簡単な説明】
【図１】本発明の第１の実施例によるインターホン装置の構成を示す回路ブロック図である。
【図２】本発明の第２の実施例によるインターホン装置の構成を示す回路ブロック図である。
【図３】本発明の第３の実施例によるインターホン装置の構成を示す回路ブロック図である。
【図４】従来例のインターホン装置の構成を示す回路ブロック図である。
【符号の説明】
１、５１・・・・・玄関子機
２、５２・・・・・親機
１２・・・・・カメラ
１３・・・・・マイク
１４・・・・・スピーカ
１７、２３・・・・・赤外照明灯
１８・・・・・電流変化部
１９、２４・・・・・赤外受光部
２０・・・・・音量変化部
２１、２６・・・・・制御部
２５・・・・・位置検出部
３０・・・・・音量切替回路
４４・・・・・表示部
４５・・・・・通話部
５０・・・・・Ａ／Ｄ変換器
Ｒ1a、Ｒ1b、Ｒ1c・・・・・（電流変化部の）抵抗
Ｑ1a、Ｑ1b、Ｑ1c・・・・・（電流変化部の）トランジスタ
Ｒ2a、Ｒ2b、Ｒ2c・・・・・（音量変化部の）抵抗
ＯＰ1、ＯＰ2・・・・・（位置検出部の）コンパレータ
【図１】
0003809371.tif 000002
【図２】
0003809371.tif 000003
【図３】
0003809371.tif 000004
【図４】
0003809371.tif 000005